(57)【要約】【課題】スピーカをレシーバに共用して音量および音質を高める。【解決手段】レシーバに共用されるスピーカ（１０）が備えられている。このスピーカには導音部が設置されている。この導音部（導音ダクト１２）にはスピーカの出力音が導かれる第一および第二の放音孔（レシーバ音孔６−２、スピーカ音孔８−２）を異なる位置に備える。前記導音部に音孔切替部（音孔切替シャッタ１８）を備え、前記第一の放音孔または前記第二の放音孔のいずれか一方に切替える。これにより、前記スピーカの出力音を前記第一の放音孔または前記第二の放音孔から放音させる。また、放音制御部（３６）により、出力音レベルを使用形態や放音孔に応じて制御する。【選択図】図１
2013197818.tif 000002
【特許請求の範囲】
【請求項１】
スピーカを備える携帯端末であって、
第一および第二の放音孔を異なる位置に備え、これら第一の放音孔または第二の放音孔に前記スピーカの出力音を導く導音部と、
前記第一の放音孔または前記第二の放音孔のいずれか一方に切替え、前記スピーカの出力音を前記第一の放音孔または前記第二の放音孔から放音させる音孔切替部と、
を備える携帯端末。
【請求項２】
さらに、前記音孔切替部の音孔切替えに応じて前記スピーカの出力音レベルを制御する制御部と、
を備える請求項１に記載の携帯端末。
【請求項３】
前記音孔切替部は、前記第一の放音孔または前記第二の放音孔をシャッタにより開閉する、
請求項１または２に記載の携帯端末。
【請求項４】
スピーカを備える携帯端末であって、
第一および第二の放音孔を異なる位置に備え、これら第一の放音孔および第二の放音孔に前記スピーカの出力音を導く導音部と、
前記第一の放音孔または前記第二の放音孔を使用する使用形態を検出する使用形態検出部と、
前記使用形態検出部で検出された使用形態に応じて前記スピーカの出力音レベルを制御する放音制御部と、
を備える携帯端末。
【請求項５】
スピーカを備える携帯端末に搭載されたコンピュータに実行させる放音制御プログラムであって、
前記スピーカの出力音を導く導音部の異なる位置に形成された第一の放音孔または第二の放音孔のいずれか一方への切替え、または前記第一の放音孔または前記第二の放音孔のいずれかを使用する使用形態の検出情報を受け、
前記放音孔の切替えまたは検出された使用形態に応じて前記スピーカの出力音レベルを制御する、
処理を前記コンピュータに実行させるための携帯端末の放音制御プログラム。
【請求項６】
スピーカを備える携帯端末の放音制御方法であって、
前記スピーカの出力音を導く導音部の異なる位置に第一の放音孔および第二の放音孔を形成し、
前記第一の放音孔または前記第二の放音孔のいずれか一方に切替え、または前記第一の放音孔または前記第二の放音孔のいずれかを使用する使用形態の検出情報を受け、
前記放音孔の切替えまたは検出された使用形態に応じて前記スピーカの出力音レベルを制御する、
携帯端末の放音制御方法。
【発明の詳細な説明】
【技術分野】
【０００１】
本発明は、スピーカがレシーバに共用される携帯端末、その放音制御プログラムおよびその放音制御方法に関する。
【背景技術】
【０００２】
携帯電話機やスマートフォンなどの通話機能を備える携帯端末では、レシーバ通話、スピーカからの放音を利用するハンズフリー通話などが行われている。インターネット接続機能や放送受信機能を備えた携帯端末の音声再生にレシーバやスピーカが用いられる。
【０００３】
通話時の放音に関し、ひとつのスピーカでスピーカ機能とレシーバ機能とを実現することが知られている（たとえば、特許文献１）。また、電気音響変換器をスピーカとレシーバで兼用した場合、必要な音圧を得ることが知られている（たとえば、特許文献２）。
【先行技術文献】
【特許文献】
【０００４】
【特許文献１】特開２００６−２１７５１８号公報
【特許文献２】特開２００４−２６６４１０号公報
【発明の概要】
【発明が解決しようとする課題】
【０００５】
ところで、携帯電話機やスマートフォンなどの通話機能を備える携帯端末では、筐体の薄型化や小型化が図られている。このため、放音機構ではスピーカおよびレシーバが共用化されている。
【０００６】
放音孔を単一化した場合には、レシーバによる通話は放音孔を耳にあてることから、放音孔は密閉性を高めるため小孔である。これに対し、スピーカでは離れた位置での聴音を目的とし、十分な音量出力を得るため、スピーカ出力の放音孔はレシーバ音孔より大きくする必要がある。
【０００７】
このような異なる機能および目的を持つ放音孔を共用化するため、放音孔を大きくすれば、耳との密閉性が損なわれ、音の漏洩を生じ、ロスとなる。音量についても、スピーカ出力では通話者にとり、音量が大きく、耳障りになる課題がある。放音孔を小さくし、レシーバ音量を基準にすれば、スピーカの出力音量は小さく、音質も劣化するという課題がある。
【０００８】
このように単一の放音孔に対してレシーバおよびスピーカの共用化は、構造的に筐体の薄型化や小型化に寄与するものの、レシーバおよびスピーカの機能に関し、個別に設置した場合に比較し、音量および音質が劣化するという課題がある。
【０００９】
そこで、本開示の携帯端末、その放音制御プログラムおよび放音制御方法の目的は、上記課題に鑑み、スピーカをレシーバに共用して音量および音質を高めることにある。
【課題を解決するための手段】
【００１０】
上記目的を達成するため、本開示の構成は、レシーバに共用されるスピーカが備えられている。このスピーカには導音部が設置されている。この導音部にはスピーカの出力音が導かれる第一および第二の放音孔を異なる位置に備える。
【００１１】
前記導音部に音孔切替部を備え、前記第一の放音孔または前記第二の放音孔のいずれか一方に切替える。これにより、前記スピーカの出力音を前記第一の放音孔または前記第二の放音孔から放音させる。
【００１２】
前記音孔切替部に代え、使用形態検出部と放音制御部とを備える。使用形態検出部は、前記第一の放音孔または前記第二の放音孔を使用する使用形態を検出する。放音制御部は、前記使用形態検出部で検出された使用形態に応じて前記スピーカの出力音レベルを切り替える。
【発明の効果】
【００１３】
本開示の構成によれば、次のいずれかの効果が得られる。
【００１４】
(1) スピーカの出力音に対して第一および第二の放音孔を備える導音部に共鳴空間が得られるので、切り替えられた第一の放音孔または第二の放音孔から音質および音量を放音させることができる。
【００１５】
(2) 第一の放音孔または第二の放音孔を使用する使用形態に応じて音質および音量を放音させることができる。
【００１６】
(3) 導音部に第一および第二の放音孔を備えて導音部を単一化でき、電話端末の筐体の薄型化または小型化に寄与することができる。
【００１７】
そして、本発明の他の目的、特徴及び利点は、添付図面及び各実施の形態を参照することにより、一層明確になるであろう。
【図面の簡単な説明】
【００１８】
【図１】第１の実施の形態に係る携帯端末の縦断面を示す断面図である。
【図２】音孔切替え動作を示す断面図である。
【図３】放音制御の処理手順の一例を示すフローチャートである。
【図４】第２の実施の形態に係る携帯端末の前面部を示す図である。
【図５】携帯端末を分解して示す分解斜視図である。
【図６】導音ダクトの一部を切り欠いて示す分解斜視図である。
【図７】導音ダクトの音孔切替え動作を示す分解斜視図である。
【図８】携帯端末のハードウェアの一例を示すブロック図である。
【図９】制御部の構成例を示す図である。
【図１０】放音制御の処理手順の一例を示すフローチャートである。
【図１１】手動操作による放音制御の処理手順の一例を示すフローチャートである。
【図１２】放音制御の動作形態を示す図である。
【図１３】第３の実施の形態に係る携帯端末の縦断面および放音制御の構成例を示す図である。
【図１４】放音制御の処理手順を示すフローチャートである。
【図１５】第４の実施の形態に係る携帯端末を分解して示す分解斜視図である。
【図１６】導音ダクトを示す分解斜視図である。
【図１７】携帯端末のハードウェアの構成例を示すブロック図である。
【図１８】使用形態に応じた放音制御の動作形態を示す図である。
【図１９】第５の実施の形態に係る携帯端末の前面部を示す図である。
【図２０】携帯端末を示す分解斜視図である。
【図２１】導音ダクトの内部構造およびその音孔切替動作を示す分解斜視図である。
【図２２】第６の実施の形態に係る携帯端末を分解して示す分解斜視図である。
【図２３】導音ダクトの内部構造および音孔切替動作を示す分解斜視図である。
【図２４】音孔切替シャッタの自動切替機構および可動抑制部を示す斜視図である。
【図２５】携帯端末のハードウェアの一例を示すブロック図である。
【図２６】放音制御の処理手順の一例を示すフローチャートである。
【図２７】自動操作による放音制御の処理手順を示すフローチャートである。
【図２８】音孔切替シャッタの閉動作の処理手順を示すフローチャートである。
【図２９】音孔切替シャッタの開動作の処理手順を示すフローチャートである。
【図３０】放音制御の動作形態を示す図である。
【図３１】第７の実施の形態に係る携帯端末の前面部を示す図である。
【図３２】携帯端末を示す分解斜視図である。
【図３３】携帯端末のスピーカ音孔の閉塞検出構造を示す図である。
【図３４】携帯端末のハードウェアの構成例を示すブロック図である。
【図３５】放音制御の処理手順を示すフローチャートである。
【図３６】音孔閉塞に基づく放音制御の動作形態を示す図である。
【発明を実施するための形態】
【００１９】
〔第１の実施の形態〕
【００２０】
図１は、第１の実施の形態に係る携帯端末を示している。図２は放音切替え動作を示している。図１および図２に示す構成は一例であり、斯かる構成に本開示の携帯端末およびその放音制御方法が限定されるものではない。
【００２１】
図１に示す携帯端末２−１は筐体ケース４を備える。この筐体ケース４の前面にはレシーバ音孔６−１が形成され、背面にはスピーカ音孔８−１が形成されている。レシーバ音孔６−１は、ユーザがたとえば、耳に密着させて受音する際に用いられる。スピーカ音孔８−１は、ユーザがハンズフリー通話などで耳から話して受音する際に用いられる。
【００２２】
筐体ケース４内にはスピーカ１０とともに導音ダクト１２が設置されている。スピーカ１０は導音ダクト１２の前面に取り付けられている。導音ダクト１２はスピーカ１０の出力音を導く導音部の一例である。この導音ダクト１２はたとえば、合成樹脂で形成された空洞部材であり、この実施の形態では偏平な角筒状容器である。この導音ダクト１２には導音空間であるとともに共鳴空間として空洞１４を備える。
【００２３】
この導音ダクト１２の前面側には受音孔１６およびレシーバ音孔６−２が形成されている。この受音孔１６を覆って取り付けられたスピーカ１０の出力音は、受音孔１６より導音ダクト１２の空洞１４内に導かれる。レシーバ音孔６−２は筐体ケース４のレシーバ音孔６−１に合致している。このレシーバ音孔６−１、６−２はスピーカ１０の出力音を小音量レベルで機能させる際の放音孔であり、第一の放音孔の一例である。
【００２４】
導音ダクト１２の背面には、スピーカ音孔８−２が形成されている。スピーカ音孔８−２は筐体ケース４側のスピーカ音孔８−１に合致している。このスピーカ音孔８−１、８−２はスピーカ１０の出力音を大音量レベルで機能させる際の放音孔であり、第二の放音孔の一例である。
【００２５】
レシーバ音孔６−２およびスピーカ音孔８−２は導音ダクト１２の異なる位置に設置されている。この実施の形態では、スピーカ音孔８−２が受音孔１６側が形成され、受音孔１６から離れた位置にレシーバ音孔６−２が形成されている。
【００２６】
導音ダクト１２には音孔切替シャッタ１８が設置されている。この音孔切替シャッタ１８は放音孔切替機構であり、音孔切替板の一例である。音孔切替シャッタ１８はスピーカ１０の出力音をレシーバ音孔６−１、６−２またはスピーカ音孔８−１、８−２から選択的に放音させる。音孔切替シャッタ１８は導音ダクト１２の空洞１４内をレシーバ音孔６−２またはスピーカ音孔８−２側に移動可能である。そして、音孔切替シャッタ１８は、空洞分離部２０と音孔開閉部２２とを備えている。空洞分離部２０は、空洞１４をレシーバ音孔側の空洞部１４−１とスピーカ音孔側の空洞部１４−２とに分離する。音孔開閉部２２はスピーカ音孔８−２を開閉する。
【００２７】
図２のＡに示すように、音孔切替シャッタ１８をスピーカ音孔８−２側に移動させると、スピーカ音孔８−２が閉じられ、レシーバ音孔６−２が選択される。スピーカ１０の出力音は導音ダクト１２のレシーバ音孔側空洞部１４−１によりレシーバ音孔６−２に導音される。これにより、スピーカ１０の出力音がレシーバ音Ｓｒｅとして筐体ケース４のレシーバ音孔６−１から放音される。
【００２８】
図２のＢに示すように、音孔切替シャッタ１８をレシーバ音孔６−２側に移動させると、レシーバ音孔６−２が閉じられ、スピーカ音孔８−２が選択される。スピーカ１０の出力音は導音ダクト１２のスピーカ音孔側空洞部１４−２によりスピーカ音孔８−２に導音される。これにより、スピーカ１０の出力音がスピーカ音Ｓｓｐとして筐体ケース４のスピーカ音孔８−１から放音される。
【００２９】
図３は、携帯端末２−１の放音切替えの処理手順を示している。この処理手順は本開示の携帯端末の放音制御プログラムまたは放音制御方法の一例である。
【００３０】
この処理手順では、音孔切替シャッタ１８の切替え（Ｓ１０１）と、レシーバ音孔６−２かスピーカ音孔８−２の判断をする（Ｓ１０２）。レシーバ音孔６−２であれば（Ｓ１０３のＹＥＳ）、レシーバ音孔６−１から放音される（Ｓ１０４）。また、レシーバ音孔６−２でなければ、つまり、スピーカ音孔８−２であれば（Ｓ１Ｏ３のＮＯ）、スピーカ音孔８−１から放音される（Ｓ１０５）。
【００３１】
斯かる構成によれば、少なくとも単一のスピーカ１０を用いてレシーバ音孔６−１、６−２またはスピーカ音孔８−１、８−２の選択により、放音させることができる。しかも、導音ダクト１２の空洞１４を共鳴空間に用いることができ、十分な音質および音量が得られる。
【００３２】
この場合、レシーバ音孔６−１からの放音であれば、スピーカ１０の出力音レベルを低レベルに制御し、スピーカ音孔８−１からの放音であれば、スピーカ１０の出力音レベルを高レベルに制御すればよい。
【００３３】
＜第１の実施の形態の効果＞
【００３４】
(1) スピーカをレシーバに共用でき、手動でシャッタを開閉することで音孔をレシーバ出力やスピーカ出力に切り替えることができる。
【００３５】
(2) レシーバがなくなることで携帯端末の小型化が図られる。
【００３６】
(3) レシーバより音質・音量面で性能が高いスピーカを使用して音道を切り替えたりレシーバと共用で使用することで音質・音量面での劣化を防止できる。
【００３７】
(4) スピーカおよびレシーバのための共用の音道が長くなると大音量の出る大型のスピーカが必要となるのに対し、この実施の形態によれば、小型化に伴いより音道は短くなるため、小型のスピーカで代用できる。このため、小型化しながら音量・音質の低下のない携帯端末を実現できる。
【００３８】
(5) スレート形状端末のように、より薄型化でレシーバとスピーカの配置が近くなる構造の方がより効果的な構造を実現できる。
【００３９】
〔第２の実施の形態〕
【００４０】
図４は、第２の実施の形態に係る携帯端末を示している。図４は携帯端末２−２の前面部を示している。
【００４１】
図４に示す携帯端末２−２は、筐体ケース４に前面ケース部４−１を備える。この前面ケース部４−１の中央部にはＬＣＤ（Liquid Crystal Display）２３が設置されている。このＬＣＤ２３の表示面にはタッチパネル２４が設置されている。ＬＣＤ２３は文字などの情報を表示する。タッチパネル２４は入力デバイスの一例であり、タッチによって情報を入力する。
【００４２】
前面ケース部４−１の表示窓部２５の上側には、レシーバ音孔６−１が形成されている。この実施の形態ではレシーバ音孔６−１が長方形であるが、円形や長円形であってもよい。このレシーバ音孔６−１の近傍には、近接センサ２６のセンサ窓部２８が形成されている。近接センサ２６は、ユーザの耳部との接触を検知し、その検知信号を出力する。
【００４３】
前面ケース部４−１の表示窓部２５の下側には受音孔２９が形成されている。この受音孔２９に入る通話音声はマイクロフォン３０に入力される。
【００４４】
前面ケース部４−１の周壁部３１（図５）には、スライドレバー３２が設置されている。このスライドレバー３２により、既述の音孔切替シャッタ１８が操作される。
【００４５】
＜携帯端末２−２の構成部材＞
【００４６】
図５は、携帯端末２−２を分解して示している。この携帯端末２−２の筐体ケース４は既述の前面ケース部４−１と背面ケース部４−２とで構成される。背面ケース部４−２は、前面ケース部４−１の周壁部３１に固定され、前面ケース部４−１の背面部を閉塞する。
【００４７】
前面ケース部４−１にはスライド溝３４−１が形成されている。前面ケース部４−１には導音ダクト１２の前面に基板３５が配置される。この基板３５には後述の制御部３６が搭載される。この基板３５にはレシーバ音孔６−１、６−２を通過させるための切欠部３８が形成されている。この切欠部３８の近傍には既述の近接センサ２６が設置されている。基板３５の中間部には音孔切替えを検出するＭＲ（Magneto Resistive ）センサ４０が設置されている。このＭＲセンサ４０は、音孔切替えを検出する検出手段の一例である。
【００４８】
導音ダクト１２の側面にはスライド溝３４−２が形成されている。このスライド溝３４−２にはスライドレバー３２がスライド溝３４−２内を摺動可能に引き出されている。このスライドレバー３２には既述の音孔切替シャッタ１８が取り付けられている。これにより、音孔切替シャッタ１８を摺動させることができる。スライドレバー３２は前面ケース部４−１のスライド溝３４−１から前面ケース部４−１の側面に突出している。したがって、筐体ケース４の外部から導音ダクト１２の音孔切替シャッタ１８をスライドさせることができる。
【００４９】
＜導音ダクト１２の構成＞
【００５０】
図６は、導音ダクト１２を分解し、一部を切り欠いて示している。この導音ダクト１２は長方形状のケース部１２−１と蓋部１２−２とで構成されている。ケース部１２−１には同一幅の側壁部４６が形成されている。この側壁部４６によって既述の空洞１４がケース部１２−１の内部に形成されている。
【００５１】
ケース部１２−１の側壁部４６の内面部には、２つのレール部４８が平行に形成されている。各レール部４８は音孔切替シャッタ１８を摺動させるためのレールであり、音孔切替機構５０の一部を構成している。各レール部４８は一例として断面半円形である。音孔切替シャッタ１８の音孔開閉部２２の側壁部には係合溝５２が形成されている。各係合溝５２には各レール部４８が係合する。これにより、レール部４８に沿って音孔切替シャッタ１８が摺動可能に支持されている。この音孔切替シャッタ１８は、スライドレバー３２によって上下動させることができる。このスライドレバー３２は音孔開閉部２２の側部に突設されている。
【００５２】
スライドレバー３２の近傍にはマグネット５６が設置されている。このマグネット５６は、既述のＭＲセンサ４０によって検出される。マグネット５６の位置がＭＲセンサ４０により検出され、これにより音孔切替シャッタ１８の位置が検出される。つまり、音孔切替シャッタ１８がスピーカ音孔８−２を閉じているか否かをＭＲセンサ４０の検出信号により知ることができる。
【００５３】
＜導音ダクト１２の音孔切替え＞
【００５４】
図７は、音孔切替シャッタ１８のスライドによる音孔切替えを示している。
【００５５】
図７のＡは、レシーバ音孔６−２を選択した場合（レシーバ出力）を示している。スライドレバー３２をスピーカ音孔８−２側に操作する。これにより、音孔切替シャッタ１８の音孔開閉部２２でスピーカ音孔８−２が塞がれる。これにより、スピーカ１０の出力音は空洞部１４−１からレシーバ音孔６−２側に導かれる。つまりレシーバ出力となる。音孔開閉部２２がスピーカ音孔８−２側に移動すると、マグネット５６がＭＲセンサ４０に検出される。これにより、音孔がレシーバ音孔６−２に切り替えられていることをＭＲセンサ４０の出力により知ることができる。
【００５６】
図７のＢは、スピーカ音孔８−２を選択した場合（スピーカ出力）を示している。スライドレバー３２をレシーバ音孔６−２側に操作する。これにより、音孔切替シャッタ１８の音孔開閉部２２がスピーカ音孔８−２を開放する。これにより、スピーカ１０の出力音は空洞部１４−２からスピーカ音孔８−２側に導かれる。つまりスピーカ出力となる。音孔開閉部２２がレシーバ音孔６−２側に移動すると、マグネット５６がＭＲセンサ４０から離れ、これがＭＲセンサ４０に検出される。これにより、音孔がスピーカ音孔８−２に切り替えられていることをＭＲセンサ４０の出力により知ることができる。
【００５７】
＜携帯端末２−２のハードウェア＞
【００５８】
図８は、携帯端末２−２のハードウェアの構成例を示している。図８において、図４および図５と同一部分には同一符号を付してある。
【００５９】
制御部３６には無線部５８が接続されている。無線部５８はアンテナ６０を備え、制御部３６の制御により無線により基地局との通信を行う。
【００６０】
制御部３６はコンピュータによって構成され、ＯＳ（Operating System）などのプログラムを実行する。この制御部３６には、近接センサ２６またはＭＲセンサ４０の検出信号、タッチパネル２４の入力信号などが取り込まれる。制御部３６には音孔の切替えに応じてスピーカ１０の出力音制御信号が出力される。また、制御部３６からＬＣＤ２３に対する表示出力などが発せられる。
【００６１】
近接センサ２６は携帯端末２−２の使用形態を検出する。つまり、使用形態としてたとえば、ユーザがレシーバ音孔６−１を耳に密着させて使用した場合には、この使用形態を表す検出信号を出力する。ＭＲセンサ４０は音孔切替えを検出し、その検出信号を出力する。
【００６２】
制御部３６には音声信号処理部６２が接続されている。この音声信号処理部６２は、制御部３６の制御により、スピーカ１０に対して音声信号を出力し、またはマイクロフォン３０からの音声信号を取り込むなどの処理をする。音声信号処理部６２が出力する音声信号は音声信号増幅器６４により増幅され、スピーカ１０に加えられる。この実施の形態では、スピーカ１０の出力音レベルがレシーバ音孔６−２では低レベルに、スピーカ音孔８−２では高レベルに切り替えられる。
【００６３】
＜制御部３６の構成＞
【００６４】
図９は、制御部３６の構成例を示している。この制御部３６では、ＣＰＵ（Central Processing Unit ）６６、ＲＯＭ（Read-Only Memory）６８、ＲＡＭ（Random-Access Memory）７０および入出力（Ｉ／Ｏ）部７２を備えている。ＣＰＵ６６はＲＯＭ６８にあるＯＳなどのプログラムを実行する。ＲＯＭ６８はＯＳのほか、本開示の放音制御プログラムなどの各種のプログラムを格納している。ＲＡＭ７０はワークエリアを構成する。Ｉ／Ｏ部７２はＣＰＵ６６の制御により、検出信号などの取込み、音声信号などの出力を実行する。
【００６５】
＜音孔の手動切替えに伴う放音制御＞
【００６６】
図１０は、放音制御のメインルーチンの処理手順を示している。この処理手順は、本開示の放音制御プログラムまたは放音制御方法の一例である。この処理手順では、音孔の手動切替えに伴う放音制御を行う。
【００６７】
この処理をスタートさせると、音の鳴動動作があるかまたは鳴動中であるか否かを判定する（Ｓ２０１）。音の鳴動動作があるかまたは鳴動中であるかのいずれかであれば（Ｓ２０１のＹＥＳ）、スピーカ１０の出力音レベルの判定処理およびスピーカ１０の出力音のレベル制御を実行する（Ｓ２０２）。
【００６８】
図１１は、Ｓ２０２（図１０）のサブルーチンの処理手順を示している。
【００６９】
この処理手順では、ＭＲセンサ４０の読出しを行う（Ｓ２１１）。続いて、近接センサ２６の読出しを行う（Ｓ２１２）。ＭＲセンサ４０の読出し結果により、スピーカ音孔８−２の開閉を判定する（Ｓ２１３）。スピーカ音孔８−２が開いていれば（Ｓ２１３の開）、音声信号増幅器６４の増幅ゲインをスピーカ音孔出力用ゲインに変更する（Ｓ２１４）。この場合、スピーカ１０の出力音レベルが高ゲインに変更される。
【００７０】
近接センサ２６の読出し結果により、レシーバ音孔６−２がユーザの耳に近いかを判定する（Ｓ２１５）。レシーバ音孔６−２がユーザの耳に近ければ（Ｓ２１５の近）、レシーバ通話中であるか否かを判定する（Ｓ２１６）。レシーバ通話中であれば（Ｓ２１６のＹＥＳ）、スピーカ１０から音孔切替シャッタ１８が閉であることをアナウンスする（Ｓ２１７）。
【００７１】
Ｓ２１５において、レシーバ音孔６−２がユーザの耳から遠ければ（Ｓ２１５の遠）、レシーバ通話中であるか否かを判定する（Ｓ２１８）。レシーバ通話中であれば（Ｓ２１８のＹＥＳ）、ＬＣＤ２３に音孔切替シャッタ１８が閉であるメッセージ表示を行う（Ｓ２１９）。
【００７２】
ＭＲセンサ４０の読出し結果により、スピーカ音孔８−２が閉じていれば（Ｓ２１３の閉）、近接センサ２６の読出し結果により、レシーバ音孔６−２がユーザの耳に近いかを判定する（Ｓ２２０）。レシーバ音孔６−２がユーザの耳に遠ければ（Ｓ２２０の遠）、音声信号増幅器６４の増幅ゲインをスピーカ音量出力用ゲインに変更する（Ｓ２２１）。この場合、レシーバ音孔６−２からスピーカ１０の出力音レベルで放音される。
【００７３】
レシーバ通話中であるか否かを判定する（Ｓ２２２）。レシーバ通話中でなければ（Ｓ２２２のＮＯ）、ＬＣＤ２３に音孔切替シャッタ１８が開であるメッセージ表示を行う（Ｓ２２３）。
【００７４】
Ｓ２２２でレシーバ通話中であれば（Ｓ２２２のＹＥＳ）、レシーバ音孔６−２から音孔切替シャッタ１８が閉であることをアナウンスする（Ｓ２２４）。
【００７５】
Ｓ２２０において、レシーバ音孔６−２がユーザの耳に近ければ（Ｓ２２０の近）、レシーバ音孔出力用ゲインに変更する（Ｓ２２５）。スピーカ１０が通話中であるか否かを判定する（Ｓ２２６）。スピーカ１０が通話中であれば（Ｓ２２６のＹＥＳ）、レシーバ音孔６−２から音孔切替シャッタ１８が開（スピーカ音孔８−２が開）であることをアナウンスする（Ｓ２２７）。
【００７６】
図１２は、音孔切替シャッタ１８の開閉、近接センサ２６の検出状態、音声信号増幅器６４のゲイン、メッセージ表示およびアナウンスを示している。図１２において、ＲＣＶ出力はレシーバ音孔６−２からの放音出力、ＳＰＫ出力はスピーカ音孔８−２からの放音出力、ＲＣＶ−ＳＰＫ共用出力はレシーバ音孔６−２およびスピーカ音孔８−２に共通する放音出力を示している。
【００７７】
図１１に示す放音制御により、図１２に示すように、着信、音楽再生、レシーバ通話、スピーカ音孔８−１、８−２によるハンズフリー通話を適正な出力音レベルで行うことができる。
【００７８】
この第２の実施の形態によれば、第１の実施の形態と同様の効果が得られる。
【００７９】
〔第３の実施の形態〕
【００８０】
図１３は、第３の実施の形態に係る携帯端末を示している。図１３は携帯端末２−３の前面部を示している。図１３に示す構成は一例であり、斯かる構成に本開示の携帯端末およびその放音制御方法が限定されるものではない。
【００８１】
図１３のＡに示す携帯端末２−３は、既述の音孔切替シャッタ１８を備えない構成である。導音ダクト１２には音孔切替シャッタ１８を設置していないので、レシーバ音孔６−２およびスピーカ音孔８−２は共通の空洞１４の異なる位置に形成されている。この場合、制御部３６が設置されている。
【００８２】
図１３のＢに示すように、制御部３６には近接センサ２６が接続されている。この近接センサ２６は既述した通り、携帯端末２−３の使用形態を検出する。つまり、携帯端末２−３のレシーバ音孔６−１がユーザの耳の近傍にあるか否かを検出し、近接センサ２６はそれを表す検出信号を出力する。制御部３６はこの検出信号に応じてスピーカ１０の出力音レベルを制御する。つまり、レシーバ音孔６−１であれば、レシーバ音孔用レベル（低レベル）を出力する。また、スピーカ音孔８−１であれば、スピーカ音孔用レベル（高レベル）を出力する。
【００８３】
図１４は、この放音制御の処理手順を示している。この処理手順は、本開示の携帯端末またはその放音制御方法の一例である。
【００８４】
この処理手順では、レシーバ音孔６−１、６−２かスピーカ音孔８−１、８−２かの判断を行う（Ｓ３０１）。レシーバ音孔６−１、６−２かの判定を行う（Ｓ３０２）。レシーバ音孔６−１、６−２であれば（Ｓ３０２のＹＥＳ）、レシーバ音孔用レベルの出力音レベルを出力する（Ｓ３０３）。レシーバ音孔６−１、６−２でなければ（Ｓ３０２のＮＯ）、スピーカ音孔用レベルの出力音レベルを出力する（スピーカ３０４）。
【００８５】
＜第３の実施の形態の効果＞
【００８６】
(1) シャッタがなくスピーカからの音量調整で両方から放音することができる。
【００８７】
(2) 導音ダクト構造を簡略化できる。
【００８８】
〔第４の実施の形態〕
【００８９】
図１５は、第４の実施の形態に係る携帯端末２−４を分解して示している。図１６は、導音ダクト１２を分解して示している。図１５および図１６において、図５および図６と同一部分には同一符号を付してある。この実施の形態では、音孔切替シャッタ１８が設置されていない。このため、音孔切替シャッタ１８を操作するスライドレバー３２が不要である。スライド溝３４−１、３４−２も不要である。したがって、筐体ケース４および導音ダクト１２がシンプル化されている。
【００９０】
＜携帯端末２−４のハードウェア＞
【００９１】
図１７は、携帯端末２−４のハードウェアの一例を示している。図１７において、図８と同一部分には同一符号を付してある。
【００９２】
この携帯端末２−４では、音孔切替シャッタ１８の移動を検知する必要がないので、ＭＲセンサ４０は設置されていない。その他の構成は同一であるので、その説明を割愛する。この場合、スピーカ１０の出力音レベルは、制御部３６により、近接センサ２６の検出信号に基づいてレシーバ音孔６−１、６−２またはスピーカ音孔８−１、８−２に適したレベルに制御される。
【００９３】
＜音孔の手動切替えに伴う放音制御＞
【００９４】
図１８は、近接センサ２６の検出状態、音声信号増幅器６４のゲインを示している。図１８において、ＲＣＶ出力はレシーバ音孔６−２からの放音出力、ＳＰＫ出力はスピーカ音孔８−２からの放音出力を示している。
【００９５】
このように着信、音楽再生、レシーバ通話、スピーカ音孔８−１、８−２によるハンズフリー通話の出力音レベルを近接センサ２６の検出出力に応じて適正レベルに制御することができる。
【００９６】
基板３５は、前面ケース部４−１側に設置されている。つまり、基板３５は前面ケース部４−１と導音ダクト１２との間に設置される。
【００９７】
その他の構成は第２の実施の形態（図４）と同様であるので、同一符号を付し、その説明を割愛する。
【００９８】
〔第５の実施の形態〕
【００９９】
図１９は、第５の実施の形態に係る携帯端末の前面部を示している。図１９において、図４と同一部分には同一符号を付してある。
【０１００】
図１９に示す携帯端末２−５は、前面ケース部４−１にスピーカ音孔８−１を備えている。その他の構成は第２の実施の形態（図４）と同一であるので、同一符号を付し、その説明を割愛する。
【０１０１】
図２０は、携帯端末２−５を分解して示している。この携帯端末２−５の前面ケース部４−１に形成されたスピーカ音孔８−１と同様に、導音ダクト１２の前面にスピーカ音孔８−２が形成されている。この場合、スピーカ１０は導音ダクト１２の背面側に設置されている。
【０１０２】
基板３５は、背面ケース部４−２側に設置されている。つまり、基板３５は背面ケース部４−２と導音ダクト１２との間に設置される。
【０１０３】
その他の構成は第２の実施の形態（図４）と同様であるので、同一符号を付し、その説明を割愛する。
【０１０４】
＜導音ダクト１２の構成＞
【０１０５】
図２１は、導音ダクト１２を分解してその内部構造および音孔切替えを示している。この導音ダクト１２は長方形状のケース部１２−１と蓋部１２−２とで構成されている。この実施の形態では、スピーカ１０がレシーバ音孔６−２側に設置されているので、音孔切替シャッタ１８がレシーバ音孔６−２の近傍に設置されている。音孔切替シャッタ１８は、レール部４８により摺動可能である。この実施の形態では、音孔切替シャッタ１８にある音孔開閉部２２がレシーバ音孔６−２を開閉する構成である。
【０１０６】
図２１のＡは、スピーカ音孔８−２を選択した場合（ＳＰＫ出力）を示している。スライドレバー３２をレシーバ音孔６−２側に操作する。音孔切替シャッタ１８の音孔開閉部２２でレシーバ音孔６−２が塞がれる。これにより、スピーカ１０の出力音は空洞部１４−２からスピーカ音孔８−２側に導かれる。つまりＳＰＫ出力となる。音孔開閉部２２がレシーバ音孔６−２側に移動すると、マグネット５６がＭＲセンサ４０に検出される。これにより、音孔がスピーカ音孔８−２に切り替えられていることをＭＲセンサ４０の出力により知ることができる。これにより、制御部３６によりスピーカ１０の出力音レベルがスピーカ音孔８−２に適するレベルに制御される。
【０１０７】
図２１のＢは、レシーバ音孔６−２を選択した場合（ＲＣＶ出力）を示している。スライドレバー３２をスピーカ音孔８−２側に操作する。音孔切替シャッタ１８の音孔開閉部２２がレシーバ音孔６−２を開放する。これにより、スピーカ１０の出力音は空洞部１４−１からレシーバ音孔６−２側に導かれる。つまりＲＣＶ出力となる。音孔開閉部２２がスピーカ音孔８−２側に移動すると、マグネット５６がＭＲセンサ４０から離れ、これがＭＲセンサ４０に検出される。これにより、音孔がレシーバ音孔６−２に切り替えられていることをＭＲセンサ４０の出力により知ることができる。これにより、制御部３６によりスピーカ１０の出力音レベルがレシーバ音孔６−２に適するレベルに制御される。
【０１０８】
〔第６の実施の形態〕
【０１０９】
図２２は、第６の実施の形態に係る携帯端末を分解して示している。図２２において、第２の実施の形態（図５）と同一部分には同一符号を付してある。
【０１１０】
図２２に示す携帯端末２−６は、音孔切替シャッタ１８の移動を自動化しているので、スライドレバー３２およびスライド溝３４−１、３４−２は不要である。このため、筐体ケース４の外観構成がシンプル化している。同様に、導音ダクト１２の側面形態もシンプル化している。図２２において、他の構成は図５と同一であるので、同一符号を付し、その説明を割愛する。この実施の形態では、ＭＲセンサ４０は導音ダクト１２の前面側に設置されている。
【０１１１】
図２３は、導音ダクト１２を分解して示している。図２３のＡは、スピーカ音孔８−２の開状態を示している。
【０１１２】
音孔切替シャッタ１８はレール部４８により移動可能に支持されている。音孔切替シャッタ１８は、空洞分離部２０と音孔開閉部２２とを備えている。空洞分離部２０にはワイヤ７４が取り付けられている。このワイヤ７４は巻取り部７６に取り付けられている。巻取り部７６はたとえば、プーリである。この巻取り部７６はモータ７８により回転可能である。また、空洞分離部２０には可動抑制部８０が取り付けられている。この可動抑制部８０はケース部１２−１側に固定されている。
【０１１３】
モータ７８を正方向に回転させると、巻取り部７６が回転し、巻取り部７６にワイヤ７４が巻き取られる。音孔切替シャッタ１８は、可動抑制部８０に抗してレシーバ音孔６−２側に移動し、レシーバ音孔６−２が閉じられる位置でモータ７８を停止させる。その停止位置で音孔切替シャッタ１８が安定状態に維持される。これにより、レシーバ音孔６−２が閉じられた状態となる。
【０１１４】
図２３のＢは、レシーバ音孔６−２の開状態を示している。モータ７８を逆方向に回転させると、巻取り部７６が回転し、巻取り部７６からワイヤ７４が巻き戻される。このとき、可動抑制部８０は復元力により、音孔切替シャッタ１８をスピーカ音孔８−２側の位置に復帰させる。スピーカ音孔８−２が閉じられる位置でモータ７８を停止させる。その停止位置で音孔切替シャッタ１８が安定状態に維持される。これにより、スピーカ音孔８−２が閉じられた状態となる。
【０１１５】
＜音孔切替シャッタ１８の自動切替機構８２＞
【０１１６】
図２４は、音孔切替シャッタ１８の自動切替機構８２を示している。図２４のＡは、音孔切替シャッタ１８の背面側から見て示している。
【０１１７】
音孔切替シャッタ１８の空洞分離部２０には係合片８４が形成されている。この係合片８４は、可動抑制部８０の可動抑制片８６に係合する。この可動抑制片８６にはモータ７８のワイヤ７４の巻取り方向と逆方向にスプリング８８の復元力が作用している。これにより、モータ７８の回転によるワイヤ７４の巻取りまたは巻戻しと、可動抑制部８０の復元力とのバランスにより、音孔切替シャッタ１８がモータ７８の回転およびその停止位置に維持される。
【０１１８】
図２４のＢは、可動抑制部８０の一例を示している。この可動抑制部８０は、直方体状のケース部９０を備えている。このケース部９０の内部には支持軸９２を立設した可動抑制片８６が移動可能に設置されている。支持軸９２にはコイル状の既述のスプリング８８が取り付けられている。このスプリング８８は、ケース部９０の天井部と可動抑制片８６との間に設置され、復元力を作用させている。可動抑制片８６は、ケース部９０の前面に形成された溝部９６から突出している。この可動抑制片８６には音孔切替シャッタ１８の係合片８４を係合させる。
【０１１９】
＜携帯端末２−６のハードウェア＞
【０１２０】
図２５は、携帯端末２−６のハードウェアの構成例を示している。図２５において、図８と同一部分には同一符号を付してある。
【０１２１】
この携帯端末２−６では、音孔切替シャッタ１８のモータ７８が設置されている。このモータ７８は制御部３６に接続されている。モータ７８の回転方向、回転およびその停止は制御部３６によって制御する。制御部３６の構成は図９に示した構成と同一である。その他の構成は上記実施の形態と同一であるから同一符号を付し、その説明を割愛する。
【０１２２】
＜音孔の自動開閉制御＞
【０１２３】
図２６は、放音制御のメインルーチンの処理手順を示している。この処理手順は、本開示の放音制御プログラムまたは放音制御方法の一例である。この処理手順では、音孔の手動切替えに伴う放音制御を行う。
【０１２４】
この処理をスタートさせると、音の鳴動動作があるかまたは鳴動中であるか否かを判定する（Ｓ６０１）。音の鳴動動作があるかまたは鳴動中であるかのいずれかであれば（Ｓ６０１のＹＥＳ）、スピーカ１０の出力音レベルの判定処理およびスピーカ１０の出力音のレベル制御を実行する（Ｓ６０２）。
【０１２５】
図２７は、Ｓ６０２（図２６）のサブルーチンの処理手順を示している。
【０１２６】
この処理手順では、自動設定かを判定する（Ｓ６１１）。自動設定であれば（Ｓ６１１のＹＥＳ）、近接センサ２６の読出しを行う（Ｓ６１２）。近接センサ２６の読出し結果によりレシーバ音孔６−２がユーザの耳に近いかを判定する（Ｓ６１３）。レシーバ音孔６−２がユーザの耳に近ければ（Ｓ６１３の近）、シャッタを閉じる動作処理を行う（Ｓ６１４）。この場合、音声信号増幅器６４の増幅ゲインをレシーバ音孔出力用のゲインに変更する（Ｓ６１５）。
【０１２７】
Ｓ６１３において、レシーバ音孔６−２がユーザの耳に遠ければ（Ｓ６１３の遠）、シャッタを開く動作処理を行う（Ｓ６１６）。この場合、音声信号増幅器６４の増幅ゲインをスピーカ音孔出力用のゲインに変更する（Ｓ６１７）。
【０１２８】
Ｓ６１１において、自動判定でなければ（Ｓ６１１のＮＯ）、音楽再生またはハンズフリー通話か否かを判定する（Ｓ６１８）。音楽再生またはハンズフリー通話であれば（Ｓ６１８のＹＥＳ）、シャッタを開く動作処理を行う（Ｓ６１９）。この場合、音声信号増幅器６４の増幅ゲインをスピーカ音孔出力用のゲインに変更する（Ｓ６２０）。
【０１２９】
Ｓ６１８において、音楽再生またはハンズフリー通話でなければ（Ｓ６１８のＮＯ）、シャッタを閉じる動作処理を行う（Ｓ６２１）。この場合、音声信号増幅器６４の増幅ゲインをレシーバ音孔出力用のゲインに変更する（Ｓ６２２）。
【０１３０】
図２８は、音孔切替シャッタ１８の閉動作の処理手順を示すフローチャートである。
【０１３１】
この処理手順では、モータ７８を音孔切替シャッタ１８の閉方向に回転させる（Ｓ６３１）。ＭＲセンサ４０の検出信号読出しを行なう（Ｓ６３２）。このＭＲセンサ４０の検出信号により、音孔切替シャッタ１８が閉状態であるか否かを判定する（Ｓ６３３）。音孔切替シャッタ１８が閉状態であれば（Ｓ６３３のＹＥＳ）、モータ回転を停止する（Ｓ６３４）。これにより、音孔切替シャッタ１８はスピーカ音孔８−２が閉状態に維持される。この場合、レシーバ音孔６−２からスピーカ１０の出力音が放音される。
【０１３２】
図２９は、音孔切替シャッタ１８の開動作の処理手順を示すフローチャートである。
【０１３３】
この処理手順では、モータ７８を音孔切替シャッタ１８の開方向に回転させる（Ｓ６４１）。ＭＲセンサ４０の検出信号の読出しを行なう（Ｓ６４２）。このＭＲセンサ４０の検出信号により、音孔切替シャッタ１８が開状態であるか否かを判定する（Ｓ６４３）。音孔切替シャッタ１８が開状態であれば（Ｓ６４３のＹＥＳ）、モータ回転を停止する（Ｓ６４４）。これにより、音孔切替シャッタ１８はスピーカ音孔８−２が開状態に維持される。この場合、スピーカ音孔８−２からスピーカ１０の出力音が放音される。
【０１３４】
図３０は、音孔切替シャッタ１８の開閉、近接センサ２６の検出状態、音声信号増幅器６４のゲイン、メッセージ表示およびアナウンスを示している。図３０において、ＲＣＶ出力はレシーバ音孔６−２からの放音出力、ＳＰＫ出力はスピーカ音孔８−２からの放音出力を示している。
【０１３５】
図２７に示す放音制御により、図３０に示すように、着信、音楽再生、レシーバ音孔６−１、６−２によるレシーバ通話、スピーカ音孔８−１、８−２による音楽再生またはハンズフリー通話を適正な出力音レベルで行うことができる。
【０１３６】
＜第６の実施の形態の効果＞
【０１３７】
(1) 音孔切替シャッタにより音孔を自動で開閉することができる。
【０１３８】
(2) ユーザ操作によるシャッタ動作の誤動作を防止でき、近接センサで音孔切替シャッタを自動で開閉できる。これにより、ユーザがレシーバかスピーカかのいずれで聞きたいかを自動判別して切り替えることができる。
【０１３９】
〔第７の実施の形態〕
【０１４０】
図３１は、第７の実施の形態に係る携帯端末の前面部を示している。図３１において、図２２と同一部分には同一符号を付してある。
【０１４１】
図３１に示す携帯端末２−７は、第６の実施の形態と同様に音孔切替シャッタ１８が自動開閉される。このため、音孔切替シャッタ１８のスライドレバー３２（図１９）は備えていない。その他の構成は第６の実施の形態（図２２）と同一であるので、同一符号を付し、その説明を割愛する。
【０１４２】
図３２は、携帯端末２−７を分解して示している。この実施の形態では、導音ダクト１２に近接センサ９８が設置されている。この近接センサ９８により、スピーカ音孔８−１の閉塞を検知する。
【０１４３】
基板３５にはＭＲセンサ４０および加速度センサ１００が設置されている。ＭＲセンサ４０により音孔切替シャッタ１８の位置を検出する。加速度センサ１００により携帯端末２−７に作用する重力加速度を検出する。その他の構成は第２の実施の形態（図４）と同様であるので、同一符号を付し、その説明を割愛する。
【０１４４】
＜スピーカ音孔８−１の閉塞状態の検出構造＞
【０１４５】
図３３のＡは、携帯端末２−７の背面側を示している。この携帯端末２−７の筐体ケース４の背面ケース部４−２にはスピーカ音孔８−１が形成されている。導音ダクト１２にはスピーカ１０が設置されている。また、導音ダクト１２の内部には既述の近接センサ９８が設置されている。この近接センサ９８は、スピーカ音孔８−１、８−２が閉塞されたか否かを検出可能である。
【０１４６】
図３３のＢに示すように、携帯端末２−７がテーブル面１０２に設置された場合には、近接センサ９８でスピーカ音孔８−１、８−２が閉塞されたことを検出することができる。この場合、スピーカ音孔８−１、８−２が塞がれたことを表す検出信号が近接センサ９８から出力される。
【０１４７】
＜携帯端末２−７のハードウェア＞
【０１４８】
図３４は、携帯端末２−７のハードウェアの構成例を示している。図３４において、図２５と同一部分には同一符号を付してある。
【０１４９】
この携帯端末２−７では、近接センサ９８および加速度センサ１００が制御部３６に接続されている。近接センサ９８および加速度センサ１００の各検出信号が制御部３６に加えられ、制御部３６からこれらの検出信号に基づく制御信号が出力される。その他の構成は上記実施の形態を同一であるから同一符号を付し、その説明を割愛する。
【０１５０】
＜放音制御＞
【０１５１】
図３５は携帯端末２−７の放音制御の処理手順を示している。
【０１５２】
この処理手順では、自動設定かを判定する（Ｓ７０１）。自動設定であれば（Ｓ７０１のＹＥＳ）、近接センサ２６の読出しを行う（Ｓ７０２）。近接センサ２６の読出し結果によりレシーバ音孔６−２がユーザの耳に近いかを判定する（Ｓ７０３）。レシーバ音孔６−２がユーザの耳に近ければ（Ｓ７０３の近）、シャッタを閉じる動作処理を行う（Ｓ７０４）。この場合、音声信号増幅器６４の増幅ゲインをレシーバ音孔出力用のゲインに変更する（Ｓ７０５）。
【０１５３】
Ｓ７０３において、レシーバ音孔６−２がユーザの耳に遠ければ（Ｓ７０３の遠）、近接センサ９８の読出しを行う（Ｓ７０６）。近接センサ９８の読出し結果により、スピーカ音孔８−１が遮蔽物により塞がれているかを判定する（Ｓ７０７）。スピーカ音孔８−１が塞がれていなければ（Ｓ７０７のＮＯ）、シャッタを開く動作処理を行う（Ｓ７０８）。この場合、音声信号増幅器６４の増幅ゲインをスピーカ音孔出力用のゲインに変更する（Ｓ７０９）。
【０１５４】
Ｓ７０７において、スピーカ音孔８−１が塞がれていれば（Ｓ７０７のＹＥＳ）、シャッタを閉じる動作処理を行う（Ｓ７１０）。この場合、音声信号増幅器６４の増幅ゲインをスピーカ音孔出力用のゲインに変更する（Ｓ７１１）。これにより、レシーバ音孔６−１、６−２の出力音がスピーカ音孔レベルとなり、レシーバ音孔６−１、６−２をスピーカ音孔８−１、８−２に代えて用いることができる。つまり、スピーカ音孔８−１、８−２が塞がれたことによる不都合を音響レベルの増強によって回避できる。
【０１５５】
Ｓ７０１において、自動判定でなければ（Ｓ７０１のＮＯ）、音楽再生またはハンズフリー通話か否かを判定する（Ｓ７１２）。音楽再生またはハンズフリー通話であれば（Ｓ７１２のＹＥＳ）、シャッタを開く動作処理を行う（Ｓ７１３）。この場合、音声信号増幅器６４の増幅ゲインをスピーカ音孔出力用のゲインに変更する（Ｓ７１４）。
【０１５６】
Ｓ７１２において、音楽再生またはハンズフリー通話でなければ（Ｓ７１２のＮＯ）、シャッタを閉じる動作処理を行う（Ｓ７１５）。この場合、音声信号増幅器６４の増幅ゲインをレシーバ音孔出力用のゲインに変更する（Ｓ７１６）。
【０１５７】
図３６は、音孔切替シャッタ１８の開閉、近接センサ２６、９８の検出状態、音声信号増幅器６４のゲインを示している。図３６において、ＲＣＶ出力はレシーバ音孔６−２からの放音出力、ＳＰＫ出力はスピーカ音孔８−２からの放音出力を示している。
【０１５８】
図３５に示す放音制御により、図３６に示すように、着信、音楽再生、レシーバ音孔６−１、６−２によるレシーバ通話、スピーカ音孔８−１、８−２による音楽再生またはハンズフリー通話を適正な出力音レベルで行うことができる。スピーカ音孔８−１、８−２が遮蔽物によって塞がれているか否かに応じてスピーカ１０の出力音レベルを制御する。これにより、適正な音量で通話が可能であるとともに、遮蔽物によって塞がれたスピーカ音孔８−１、８−２をレシーバ音孔６−１、６−２に代用させ、ハンズフリー通話や音楽再生を行うことができる。
【０１５９】
＜第７の実施の形態の効果＞
【０１６０】
(1) 背面にスピーカ音孔がある場合に床に端末を置いた場合などでは、スピーカ音孔から音を出すと床面で塞がれて音量が小さくなる。近接センサにより判別することで前面側のレシーバ音孔をスピーカ音孔としても使用できる。
【０１６１】
(2) 背面にスピーカ音孔がある場合に床に端末を置いた場合や持った際に手でスピーカ音孔を覆ってしまうことでスピーカ音孔が塞がれて音量が小さくなる。近接センサにより判別することで前面側のレシーバ音孔をスピーカ音孔としても使用できる。
【０１６２】
〔他の実施の形態〕
【０１６３】
Ａ）第７の実施の形態では、スピーカ音孔が塞がれた場合を記載しているが、レシーバ音孔が塞がれた場合にも同様の処理が可能であり、上記実施の形態に限定されない。
【０１６４】
Ｂ）第７の実施の形態では、近接センサ９８を用いてスピーカ音孔８−１が塞がれたことを検出しているが、既述した加速度センサ１００を用いてスピーカ音孔８−１が塞がれる携帯端末２−７の位置や方向を検出してもよい。
【０１６５】
以上説明したように、携帯端末、その放音制御プログラムおよび放音制御方法の最も好ましい実施の形態等について説明した。本発明は、上記記載に限定されるものではない。特許請求の範囲に記載され、又は発明を実施するための形態に開示された発明の要旨に基づき、当業者において様々な変形や変更が可能である。斯かる変形や変更が、本発明の範囲に含まれることは言うまでもない。
【符号の説明】
【０１６６】
２−１、２−２、２−３、２−４、２−５、２−６、２−７  携帯端末
４  筐体ケース
４−１  前面ケース部
４−２  背面ケース部
６−１、６−２  レシーバ音孔
８−１、８−２  スピーカ音孔
１０  スピーカ
１２  導音ダクト
１２−１  ケース部
１２−２  蓋部
１４  空洞
１６  受音孔
１８  音孔切替シャッタ
２０  空洞分離部
２２  音孔開閉部
２６、９８  近接センサ
３１  周壁部
３２  スライドレバー
３４−１、３４−２  スライド溝
３５  基板
３６  制御部
３８  切欠部
４０  ＭＲセンサ
４６  側壁部
４８  レール部
５０  音孔切替機構
５２  係合溝
５６  マグネット
７４  ワイヤ
７６  巻取り部
７８  モータ
８０  可動抑制部
８２  自動切替機構
８８  スプリング
【図１】
2013197818.tif 000003
【図２】
2013197818.tif 000004
【図３】
2013197818.tif 000005
【図４】
2013197818.tif 000006
【図５】
2013197818.tif 000007
【図６】
2013197818.tif 000008
【図７】
2013197818.tif 000009
【図８】
2013197818.tif 000010
【図９】
2013197818.tif 000011
【図１０】
2013197818.tif 000012
【図１１】
2013197818.tif 000013
【図１２】
2013197818.tif 000014
【図１３】
2013197818.tif 000015
【図１４】
2013197818.tif 000016
【図１５】
2013197818.tif 000017
【図１６】
2013197818.tif 000018
【図１７】
2013197818.tif 000019
【図１８】
2013197818.tif 000020
【図１９】
2013197818.tif 000021
【図２０】
2013197818.tif 000022
【図２１】
2013197818.tif 000023
【図２２】
2013197818.tif 000024
【図２３】
2013197818.tif 000025
【図２４】
2013197818.tif 000026
【図２５】
2013197818.tif 000027
【図２６】
2013197818.tif 000028
【図２７】
2013197818.tif 000029
【図２８】
2013197818.tif 000030
【図２９】
2013197818.tif 000031
【図３０】
2013197818.tif 000032
【図３１】
2013197818.tif 000033
【図３２】
2013197818.tif 000034
【図３３】
2013197818.tif 000035
【図３４】
2013197818.tif 000036
【図３５】
2013197818.tif 000037
【図３６】
2013197818.tif 000038